(57)【要約】【課題】磁石を小型で見栄えよく作製することができ、しかもロック機構の誤動作を防止することができる戸当りを提供する。【解決手段】ドア側の磁石と床面に揺動自在に設置された磁性体からなるプレートとを吸着させることにより、ドアを全開位置に固定することができ、さらに磁石に吸着されたプレートを仮止めおよび強固なロックを両方行なうことができる戸当り。フックをプレートと係合した位置でロックするための第１のロック機構、および第１のロック機構を外部から操作するための操作部材とを備えている。フックがプレートに係合していない状態では、第１のロック機構が操作部材に干渉して当該操作部材の操作を禁止し、フックがプレートに係合した状態では、フックが第１のロック機構を移動させることにより、操作部材の操作が可能になる。【選択図】        図１０
2004232269.tif 000002
【特許請求の範囲】
【請求項１】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための第１のロック機構と、
（ｇ）前記第１のロック機構を外部から操作するための操作部材とからなり、
▲１▼前記フックが前記プレートに係合していない状態では、初期位置にある第１のロック機構が前記操作部材に干渉して当該操作部材の操作を禁止し、
▲２▼前記フックが前記プレートと係合するときに、前記フックの一部が前記第１のロック機構を付勢して、当該第１のロック機構を前記操作部材に干渉しないロック準備位置へ移動させ、
▲３▼前記第１のロック機構が前記ロック準備位置にあるときに、前記操作部材をロック位置へ移動させ、当該操作部材が前記第１のロック機構を前記ロック準備位置からロック位置へ移動させることにより、前記フックを前記プレートと係合した位置でロックするようにされてなる戸当り。
【請求項２】
前記第１のロック機構が揺動自在なアームからなる請求項１記載の戸当り。
【請求項３】
前記第１のロック機構を初期位置に戻す復帰手段をさらに備えてなる請求項１または２記載の戸当り。
【請求項４】
前記復帰手段が、前記磁石によって吸引される磁性体からなる請求項３記載の戸当り。
【請求項５】
前記操作部材を所定のロック位置にロックする第２のロック機構をさらに備えてなる請求項１、２、３または４記載の戸当り。
【請求項６】
前記第２のロック機構が、回転自在に取り付けられた係止部を有する係止体と、該係止体に当接し得る当接体と、前記係止体の係止部を係止するための突起とからなる請求項５記載の戸当り。
【発明の詳細な説明】
【０００１】
【発明の属する技術分野】
本発明は戸当りに関する。さらに詳しくは、ドア側の磁石と床面に揺動自在に設置された磁性体からなるプレートとを吸着させることにより、ドアを全開位置に固定することができ、さらに磁石に吸着されたプレートを仮止めおよび強固なロックを両方行なうことができる戸当りであって、磁石を小型で見栄えよく作製することができ、しかもロック機構の誤動作を防止することができる戸当りに関する。
【０００２】
【従来の技術】
一般的に用いられる床に立設される戸当りは、歩行者がつまづいたり、ドア周囲の家具が衝突するなどの不具合がある。そのため、従来より、床から出没自在の戸当りが種々検討されており、たとえば磁石を用いた出没自在の戸当りなどがある。このような磁石を用いた戸当りは、たとえば特許文献１および２に記載されているように、床面に揺動自在に設置された磁性体プレートを、ドア側の磁石に吸着させることによりドアを全開位置に固定している。
【０００３】
また、本出願人は、さきに出願した特願２００２−１８３０３８号の明細書に記載されているように、ドア側の磁石に吸着されたプレートをさらに仮止めおよび強固なロックを両方行なうことができる戸当りを提案している。この戸当りでは、プレートを仮止めするための仮止め機構として、バネなどの付勢手段によって上方へ付勢された上向きに突出するフックを備え、また、強固なロック機構として、磁石の外周面に上下に揺動自在に取り付けられた爪アームを備えている。
【０００４】
【特許文献１】
特許第２９９０６０１号公報
【特許文献２】
特開平１０−１１５１３９号公報
【０００５】
【発明が解決しようとする課題】
しかし、従来の磁石を用いた戸当りは、磁石に仮止め機構およびロック機構をそれぞれ設けた場合、磁石の全体の寸法が大きくなるため、小型化が困難であり、しかも、ドア表面に磁石が目立って美観上好ましくない。
【０００６】
さらに、プレートが磁石に吸着される前にロック機構を誤って操作した場合、ドアの仮止めおよびロックができなくなるという問題がある。
【０００７】
本発明はかかる問題を解消するためになされたものであり、磁石を小型で見栄えよく作製することができ、しかもロック機構の誤動作を防止することができる戸当りを提供することを目的とする。
【０００８】
【課題を解決するための手段】
本発明の戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための第１のロック機構と、
（ｇ）前記第１のロック機構を外部から操作するための操作部材とからなり、
▲１▼前記フックが前記プレートに係合していない状態では、初期位置にある第１のロック機構が前記操作部材に干渉して当該操作部材の操作を禁止し、
▲２▼前記フックが前記プレートと係合するときに、前記フックの一部が前記第１のロック機構を付勢して、当該第１のロック機構を前記操作部材に干渉しないロック準備位置へ移動させ、
▲３▼前記第１のロック機構が前記ロック準備位置にあるときに、前記操作部材をロック位置へ移動させ、当該操作部材が前記第１のロック機構を前記ロック準備位置からロック位置へ移動させることにより、前記フックを前記プレートと係合した位置でロックするようにされてなることを特徴とする。
【０００９】
前記第１のロック機構が揺動自在なアームからなるのが好ましい。
【００１０】
前記第１のロック機構を初期位置に戻す復帰手段をさらに備えてなるのが好ましい。
【００１１】
前記復帰手段が、前記磁石によって吸引される磁性体からなるのが好ましい。
【００１２】
前記操作部材を所定のロック位置にロックする第２のロック機構をさらに備えてなるのが好ましい。
【００１３】
前記第２のロック機構が、回転自在に取り付けられた係止部を有する係止体と、該係止体に当接し得る当接体と、前記係止体の係止部を係止するための突起とからなるのが好ましい。
【００１４】
【発明の実施の形態】
つぎに図面を参照しながら本発明の戸当りを詳細に説明する。図１は本発明の戸当りの一実施の形態を示す斜視説明図、図２は図１に示される磁石の断面説明図、図３は図１に示される戸当り本体の断面説明図、図４は図２に示されるフックの正面図および側面図、図５は図２に示されるアームの正面図および側面図、図６〜９は図２に示される操作ボタンをロックするための第２のロック機構の動きを示す断面説明図、および図１０〜１２は図２に示される戸当りの動作を示す断面説明図である。
【００１５】
図１に示される戸当りは、大きく分けて床面に設置された本体部分１と、ドアＤに固着される磁石２とから構成されている。
【００１６】
本体部分１は、図１および図３に示されるように、床面にネジなどで固定されたナイロン、ポリアセタールなどのエンジニアリング樹脂や亜鉛合金などからなる台座３に、鉄やスチールなどの磁性体からなるプレート４が回転軸４ａを回転中心として、揺動自在に取り付けられている。プレート４の先端には、下方に突出する下方突起４ｂが設けられている。本体部分１の設置方法は、本発明においてとくに限定されるものではなく、図１に示されるように床面に設置してもよいし、または床に形成される埋設穴に埋設してもよい。
【００１７】
磁石２は、図１〜２に示されるように、ケーシング５に、磁石本体６、プレート４と係合するフック７、当該フック７をプレート４と係合する方向へ付勢する圧縮コイルバネ８、フック７をプレート４と係合した位置でロックするための第１のロック機構であるアーム９、および当該アーム９を外部から操作するための操作部材である操作ボタン１０が取り付けられたものである。
【００１８】
磁石本体６は永久磁石からなり、ケーシング５の底面に形成された開口５ａを通して外部に露出できるようにケーシング５内部に収容されている。磁石本体６は、ケーシング５の両側壁に両端支持された固定ピン１１によって固定されている。
【００１９】
フック７は、図２および図４に示されるように、前記プレート４の先端の下方突起４ｂと係合し得る上向きに突出したかぎ部７ａを有している。フック７の背面に形成された溝７ｂには、圧縮コイルバネ８が収容されている。圧縮コイルバネ８の下端の一部は、ケーシング５後部の開口縁５ｂに載っている。また、圧縮コイルバネ８の上端部は、フック７にネジ４１によって固着されたバネ押え板４２によって固定されている（図２および図６参照）。
【００２０】
フック７を用いてプレート４を仮止めすることにより、磁石２の吸着力の強弱にかかわらず容易かつ確実にドアＤの仮止めが可能になる。このフック７によりプレート４が磁石２に吸着された状態では、フック７は圧縮コイルバネ８の付勢力に抗して下方に移動し得るので、前記プレート４は引き抜き可能な程度の弱い係止力で一時的に磁石に係止される。
【００２１】
本発明の戸当りは、フック７がドアの仮止めおよび強固なロックの両方を行なうので、従来のように仮止め機構およびロック機構を別々に設ける必要がなく、装置全体を小型化することが可能であり、見栄えもよくなる。
【００２２】
本実施の形態の第１のロック機構は、図２および図５に示されるように、揺動自在のアーム９からなる。アーム９は、磁石２のケーシング５の両側壁に両端支持された軸棒１２を介して揺動自在に配設されている。
【００２３】
さらに、アーム９は、フック７との２ヵ所の接触部分として、ピン１３および突条１４を有している。ピン１３は、アーム９の前方に突出する三角形部分９ａに、軸棒１２と平行に連結されている。ピン１３は、初期位置（図２および図１０参照）において、フック７の上端から下方に向けて延設された当接部１５（図２および図４参照）の下端に形成された斜面１６に当接している。突条１４は、フック７上端の段差部１７（図４参照）に係合し得る位置に形成されている。
【００２４】
また、アーム９には、アーム９を初期位置に復帰させる復帰手段として、磁性体からなるネジ１８が少なくとも１本、好ましくは２本固着されている。したがって、アーム９は、常に磁石本体６の磁力によって初期位置へ戻る方向へ付勢される。
【００２５】
さらに、アーム９上端の操作ボタン１０に接触する部分にはローラ１９が配設されているため、ローラ１９が操作ボタン１０の表面（とくに斜面１０ａ付近）を転動しながらアーム９は滑らかに揺動することができる。
【００２６】
なお、本実施の形態では、第１のロック機構の例として揺動自在なアーム９を例にあげて説明したが、本発明はこれに限定されるものではなく、他の態様を採用してもよい。
【００２７】
また、本実施の形態では、復帰手段として、磁性体からなるネジ１８を例にあげて説明したが、本発明はこれに限定されるものではなく、鉄製のプレートなどを用いたり、またはバネなどの弾性手段などを用いた他の態様を採用してもよい。さらに、アーム９またはローラ１９の重量を適宜設定すれば、復帰手段がなくても、当該アーム９を初期位置へ戻すことができる。
【００２８】
図２に示されるように、操作ボタン１０は、操作ボタン１０内部に収納された圧縮コイルバネ２０によって上方へ付勢されている。圧縮コイルバネ２０の両端は、操作ボタン１０内部の突起１０ｃおよびフック７上端の突起７ｃにそれぞれ嵌合している。なお、操作ボタン１０が押し下げられているか否か、すなわちドアがロックされているか否かを視認しやすくするために、赤色などで着色した背板４３を設けてもよい。
【００２９】
さらに、本実施の形態の戸当りは、操作ボタン１０を所定の下方位置に容易にロックしたり、または解除できるように、第２のロック機構２２を備えている。
【００３０】
図６〜９には、第２ロック機構２２を見やすくするために、裏蓋２１（図２参照）を取り外した状態の磁石２の背面が示されている。第２のロック機構２２は、図６に示されるように、前記操作ボタン１０の後面に回転自在に取り付けられた、複数の係止部２３ａ（図６〜９に示す例では４つ）を有する係止体２３と、ケーシング５の後面に設けられた、前記係止体２３に当接し得る当接体２４と、前記ケーシング５の後面の前記当接体２４よりも上側に設けられた、前記係止体２３の係止体２３ａを係止するための突起２５とから構成されている。
【００３１】
第２のロック機構２２は、以下のようにして操作ボタン１０のロックを行なう。まず、足などで操作ボタン１０の上面を押し下げれば、係止体２３がケーシング５の後面に形成された溝５ｃ内部を下降し、当接体２４が係止体２３に当接して係止体２３を回転させる（図７参照）。
【００３２】
そののち、足を操作ボタン１０から離せば、操作ボタン１０は、前記圧縮コイルバネ２０（図２参照）の付勢力によって上昇するが、係止体２３の係止部２３ａが突起２５に係止されたときに所定の下方位置にロックされる（図８参照）。このとき、後述するように、フック７の上下動がロックされた状態になる（図１２参照）。
【００３３】
さらに、もう１度、足で操作ボタン１０を押し下げれば、図９に示されるように、当接体２４がさらに係止体２３を回転させることにより、操作ボタン１０のロックを解除することができ、操作ボタン６は上昇して、再び図６の状態に戻る。なお、第２のロック機構２２は、操作ボタン１０を所定のロック位置に選択的に保持または解除できるものであれば、他の態様を採用してもよい。
【００３４】
つぎに、図１および１０〜１２を参照しながら本実施の形態の戸当りの使用方法の一例を説明する。
【００３５】
図１０に示される初期状態、すなわちフック７がプレート４に係合していない状態では、初期位置にあるアーム９は、操作ボタン１０に干渉して操作ボタン１０の下降操作を禁止している。これにより、プレート４が磁石２に吸着される前にロック機構の誤動作（具体的には、アーム９によってフック７を誤ってロックすること）を確実に防止することができる。
【００３６】
ついで、図１１に示されるように、ドアＤを仮止めする場合には、図１０の状態からそのままドアＤを矢印Ａ方向に開ければ、床に伏せてあったプレート４が、磁石２内の磁石本体６の磁力によって立ち上がり、磁石２の下面に吸着する。それとともに、プレート４の先端に設けられた下方突起４ｂがフック７のかぎ部７ａに係合することにより、容易かつ確実にドアＤの仮止めを行なうことができる。したがって、荷物の搬入を行なう場合など、一時的にドアＤを全開位置に保持したいときに便利である。
【００３７】
また、図１１に示される状態では、フック７が若干下方に移動するため、フック７上端の当接部１５がアーム９のピン１３を図中左方向へ付勢して、アーム９を操作ボタン１０に干渉しないロック準備位置まで反時計方向に回動させる。それにより、アーム９とケーシング５の壁とのあいだに、操作ボタン１０の下端部を押し込むことが可能な空間部４４ができる。
【００３８】
ドアＤの仮止めを解除するときは、図１０の状態からドアＤをそのまま閉じるだけで、プレート４はフック７との係合が解除されるとともに磁石２の下面から容易に抜け出し、ドアＤの仮止めは解除される。
【００３９】
なお、ドアＤがフック７によって仮止めされていなくても、ドアＤを全開位置まで開ければ、プレート４が磁石２に吸着するので、ドアＤは弱い力で全開位置に保持され、フック７よりもさらに弱い保持力でドアＤを仮止めすることができる。
【００４０】
一方、強風が吹いているときなどドアＤを強固に開放状態にロックしたいときには、図１２に示されるように、操作ボタン１０を足などで押し下げ、前記第２のロック機構２２（図６参照）により、操作ボタン１０を下方のロック位置に保持すればよい。
【００４１】
具体的には、図１１に示されるドアＤの仮止めの状態から、操作ボタン１０を図１２に示されるロック位置へ下降させたとき、操作ボタン１０の下端部（とくに斜面１０ａ付近の部分）が図１１の空間部４４に押し込まれ、それにより、アーム９先端のローラ１９が図中左方向へ移動する。したがって、操作ボタン１０によってアーム９を図１１に示されるロック準備位置から図１２に示されるロック位置へ移動させることができる。このとき、アーム９の突条１４がフック７の段差部１７に嵌合し、フック７の下方への移動が禁止されるため、前記フック７をプレート４と係合した位置で強固にロックする。その結果、ドアＤは、全開位置に容易かつ確実にロックされ、ドアＤに風が当っても不意に閉まることがなくなる。
【００４２】
一方、ドアＤのロックを解除したい場合には、図１２に示される状態から、再度、操作ボタン１０を押せば、操作ボタン１０は前記第２のロック機構２２のロックが解除されて上昇する。このとき、アーム９は、ネジ８が磁石本体６の磁力によって吸引されることによって、図１１に示される状態まで回転するため、突条１４と段差部１７との係合が外れ、フック７はロックが解除される。ロック解除後は図１１に示されるドアの仮止め状態に戻るため、若干の力を加えることで容易にドアＤを閉めることができる。
【００４３】
ドアＤを閉めたとき、プレート４はフック７から引き抜かれるため、フック７は若干上方へ移動し、それとともにアーム９はさらに前記磁力の作用で回転するため、磁石２は図１０の初期位置に戻る。
【００４４】
【発明の効果】
本発明によれば、磁石を小型で見栄えよく作製することができる。しかも、ロック機構の誤動作を確実に防止することができる。
【図面の簡単な説明】
【図１】本発明の戸当りの一実施の形態を示す斜視説明図である。
【図２】図１に示される磁石の断面説明図である。
【図３】図１に示される戸当り本体の断面説明図である。
【図４】図２に示されるフックの正面図および側面図である。
【図５】図２に示されるアームの正面図および側面図である。
【図６】図２に示される操作ボタンをロックするための第２のロック機構の動きを示す断面説明図である。
【図７】図２に示される操作ボタンをロックするための第２のロック機構の動きを示す断面説明図である。
【図８】図２に示される操作ボタンをロックするための第２のロック機構の動きを示す断面説明図である。
【図９】図２に示される操作ボタンをロックするための第２のロック機構の動きを示す断面説明図である
【図１０】図２に示される戸当りの動作を示す断面説明図である。
【図１１】図２に示される戸当りの動作を示す断面説明図である。
【図１２】図２に示される戸当りの動作を示す断面説明図である。
【符号の説明】
１  本体部分
２  磁石
３  台座
４  プレート
６  磁石本体
７  フック
９  アーム
１０  操作ボタン
【図１】
2004232269.tif 000003
【図２】
2004232269.tif 000004
【図３】
2004232269.tif 000005
【図４】
2004232269.tif 000006
【図５】
2004232269.tif 000007
【図６】
2004232269.tif 000008
【図７】
2004232269.tif 000009
【図８】
2004232269.tif 000010
【図９】
2004232269.tif 000011
【図１０】
2004232269.tif 000012
【図１１】
2004232269.tif 000013
【図１２】
2004232269.tif 000014